(57)【特許請求の範囲】
【請求項１】
米を洗米して排出する洗米タンク（４）を備えた洗米装置であって、
当該洗米装置の被駆動部材を駆動する電動アクチュエータ及び該電動アクチュエータを制御する制御装置（ＣＵ）を収容したケース（５，１７３）を備え、このケース（５，１７３）の下方側に洗米タンク（４）を設けると共に該洗米タンク（４）内に給水するための給水管路（４０）を前記ケース（５，１７３）内に配管し、前記洗米タンク（４）内とケース（５，１７３）内とを仕切る隔壁（１６ｂ，１７３ａ）に取付台（４２）を取り付け、この取付台（４２）の下側に洗米タンク（４）内に水を散水するための散水部材（４１）を取り付け、前記取付台（４２）の上面に、横向きで且つ斜め上方に向けて形成された管路接続部（４２ｅ）を設け、この管路接続部（４２ｅ）に、斜め上方を向くように横向き配置されていて前記給水管路（４０）の一部を構成する給水管（４７Ａ）を接続し、
前記取付台（４２）は、隔壁（１６ｂ，１７３ａ）に取り付けられる取付壁（４２ａ）を備え、この取付壁（４２ａ）に、前記管路接続部（４２ｅ）と、この管路接続部（４２ｅ）に一端開口が連通し他端開口が取付壁（４２ａ）の下方に向けて開口するエルボ部（４２ｆ）とが、取付壁（４２ａ）の中心から偏倚した位置に一体形成されていることを特徴とする洗米装置。
【請求項２】
前記取付台（４２）は、取付壁（４２ａ）の下面から下方に且つ散水部材（４１）の下端に向けて延出するネジ挿通筒（４２ｄ）を有し、前記取付壁（４２ａ）を貫通して前記ネジ挿通筒（４２ｄ）に挿通された取付ネジ（５０）を有し、前記散水部材（４１）は、前記取付ネジ（５０）の先端がネジ込まれたネジ孔（４１ｅ）を有し、前記ネジ挿通筒（４２ｄ）の下端は前記ネジ孔（４１ｅ）に近接して配置されていることを特徴とする請求項１に記載の洗米装置。
【請求項３】
前記取付台（４２）は、取付壁（４２ａ）の下面から洗米タンク（４）内に向けて延出する筒壁（４２ｃ）を有し、この筒壁（４２ｃ）の下端側に、切欠係合部（４２ｈ）を形成し、前記散水部材（４１）を前記筒壁（４２ｃ）の下方側に配置し、この散水部材（４１）の上端に、前記切欠係合部（４２ｈ）に係合することで散水部材（４１）の上下軸回りの回り止めをする係止片（４１ｄ）を設けたことを特徴とする請求項１又は２に記載の洗米装置。
【発明の詳細な説明】
【技術分野】
【０００１】
本発明は、米を洗米して排出する洗米装置に関するものである。
【背景技術】
【０００２】
米を洗米して排出する洗米装置として特許文献１に記載の洗米装置がある。
この洗米装置は、米を洗米して下端側の排米口から排出する洗米タンクを備えている。この洗米タンク内には、米を攪拌する攪拌部材が上下軸回りに回転自在に設けられている。
洗米タンクの下部には排水ジャケットが設けられ、この排水ジャケットの下端側には米を排出する排米口と、該排米口を塞ぐ排米弁とが設けられている。排米弁は洗米タンク内に設けられた弁棒の下端側に取り付けられ、この弁棒を昇降することにより排米弁が上下動して排米口が開閉される。
【０００３】
排水ジャケットの側方には、洗米タンクで洗米する洗米水（米のとぎ汁）をホース等を介して排水溝に流すための排水ボックスが設けられている。この排水ボックスは排水パイプを介して排水ジャケット内に連通している。また、排水ボックス内には、排水パイプの出口開口を開閉自在に塞ぐ排水弁が設けられている。
洗米機の上部にはケースが設けられ、このケースの下面に前記洗米タンクが取付固定されている。
【０００４】
前記攪拌部材を回転駆動する攪拌モータ、排米弁を昇降駆動する昇降モータ、排水弁を開閉駆動する排水モータは電動モータによって構成され、これら攪拌モータ、昇降モータ、排水モータは制御装置によって制御される。
この攪拌モータ、昇降モータ、排水モータ及び制御装置は前記ケース内に配置されている。
【０００５】
前記ケース内と洗米タンク内とを仕切る隔壁には取付台が取り付けられ、この取付台の下面側、すなわち洗米タンク内には洗米タンク内に水を散水するための散水部材が取り付けられており、ケース内には、洗米タンクに給水すべく、前記散水部材へと水を導くための給水管路が配管されている。
前記取付台の上面側には、上方に向けて延出されていて上端開口が上を向く管路接続部が設けられ、この管路接続部に、上下方向に配置されていて前記給水管路の最下流側管路を構成する給水管が接続されている。
【先行技術文献】
【特許文献】
【０００６】
【特許文献１】特許第４５３６６１７号公報
【発明の概要】
【発明が解決しようとする課題】
【０００７】
前記従来の洗米装置にあっては、前述したように、取付台の上面側に設けられた管路接続部は上方に向けて延出されていて上端開口が上を向くように設けられ、この管路接続部に、給水管路の最下流側管路を構成する給水管が、上下方向に配置されて接続されているので、給水管路がケース内の高い位置に配管されている。
ケース内に配管される給水管路がケース内の高い位置に配設されていると、給水管路から水が漏れた場合に、該漏れた水が制御装置やモータ類に付着する惧れがあるので、給水管路をケース内の低い位置に配管することが要求される。
【０００８】
そこで、本発明は、前記問題点に鑑み、ケース内と洗米タンク内とを仕切る隔壁に散水部材を取り付けるための取付台を取り付け、この取付台に給水管路の最下流側管路を構成する給水管を接続するようにした洗米装置において、給水管路をケース内の低い位置に配管することができる洗米装置を提供することを課題とする。
【課題を解決するための手段】
【０００９】
前記技術的課題を解決するために本発明が講じた技術的手段は、以下に示す点を特徴とする。
請求項１に係る発明では、米を洗米して排出する洗米タンクを備えた洗米装置であって、
当該洗米装置の被駆動部材を駆動する電動アクチュエータ及び該電動アクチュエータを制御する制御装置を収容したケースを備え、このケースの下方側に洗米タンクを設けると共に該洗米タンク内に給水するための給水管路を前記ケース内に配管し、前記洗米タンク内とケース内とを仕切る隔壁に取付台を取り付け、この取付台の下側に洗米タンク内に水を散水するための散水部材を取り付け、前記取付台の上面に、横向きで且つ斜め上方に向けて形成された管路接続部を設け、この管路接続部に、斜め上方を向くように横向き配置されていて前記給水管路の一部を構成する給水管を接続し、
前記取付台は、隔壁に取り付けられる取付壁を備え、この取付壁に、前記管路接続部と、この管路接続部に一端開口が連通し他端開口が取付壁の下方に向けて開口するエルボ部とが、取付壁の中心から偏倚した位置に一体形成されていることを特徴とする。
【００１０】
請求項２に係る発明では、前記取付台は、取付壁の下面から下方に且つ散水部材の下端に向けて延出するネジ挿通筒を有し、前記取付壁を貫通して前記ネジ挿通筒に挿通された取付ネジを有し、前記散水部材は、前記取付ネジの先端がネジ込まれたネジ孔を有し、前記ネジ挿通筒の下端は前記ネジ孔に近接して配置されていることを特徴とする。
請求項３に係る発明では、前記取付台は、取付壁の下面から洗米タンク内に向けて延出する筒壁を有し、この筒壁の下端側に、切欠係合部を形成し、前記散水部材を前記筒壁の下方側に配置し、この散水部材の上端に、前記切欠係合部に係合することで散水部材の上下軸回りの回り止めをする係止片を設けたことを特徴とする。
【発明の効果】
【００１１】
本発明によれば、以下の効果を奏する。
散水部材を取り付ける取付台の上面側に管路接続部を横向きで且つ斜め上方に向けて形成し、この管路接続部に給水管路の一部を構成する給水管を横向き配置して接続したので、該給水管を隔壁に沿うように近接させて配置することができ、これによって、給水管路全体をケース内の低い位置に配管することができる。また、前記管路接続部に接続される給水管路の最下流側の給水管を斜め下方に傾斜状とすることにより、給水管路をケース内の低い位置に横向きに配管したものであっても、給水管路を遮断・開通する給水開閉弁を遮断状態とした際に、該給水開閉弁の下流側に水が残るのを防止することができる。
【００１２】
取付台の取付壁を貫通してネジ挿通筒に挿通され且つ散水部材のネジ孔にネジ込まれる取付ネジによって散水部材を取り付けることにより、散水部材を取り付ける取付ネジが洗米タンク内に脱落するのを防止することができる。
【図面の簡単な説明】
【００１３】
【図１】洗米機の斜視図である。
【図２】洗米機の正面概略図である。
【図３】洗米タンク下部及び排水ボックスの正面断面図である。
【図４】上側の貯米ケース内の全体斜視図である。
【図５】上側の貯米ケース内の斜視図である。
【図６】上側の貯米ケース内の正面図である。
【図７】上側の貯米ケース内の平面図である。
【図８】タンク取付部及び給水管路を上方側からみた斜視図である。
【図９】タンク取付部及び給水管路を下方側からみた斜視図である。
【図１０】取付台，シール部材及び散水部材の分解斜視図である。
【図１１】タンク取付部の側面断面図である。
【図１２】取付台及び散水部材の取付部分の側面断面図である。
【図１３】取付台及び散水部材の取付部分の正面断面図である。
【図１４】他の実施形態に係る洗米機の全体斜視図である。
【図１５】洗米機上部の側面図である。
【図１６】ケース内を上からみた斜視図である。
【図１７】洗米タンク及び給水装置を正面右上からみた斜視図である。
【図１８】カム及び蓋開検出センサの斜視図である。
【図１９】カム及び蓋開検出センサの側面図である。
【発明を実施するための形態】
【００１４】
以下、本発明の実施の形態を図面を参照して説明する。
図１及び図２において、符号１は、米の計量、洗米をマイコン制御によって自動で行う自動洗米機である。
この自動洗米機１は、上下の貯米庫２，３と、上側の貯米庫２の下方に設けられた洗米タンク４とを有する。
【００１５】
上下の貯米庫２，３は貯米ケース５，６内に米を貯留するホッパ７，８を備えてなる。
下側の貯米庫３の貯米ケース６の背面には支持フレーム９が該貯米ケース６から上方突出状に設けられ、この支持フレーム９の上部に上側の貯米庫２が取付固定されている。
下側の貯米庫３の貯米ケース６内にはブロワ１０が設けられ、このブロワ１０は吸引パイプ等によって上側の貯米庫２のホッパ７に接続され、上側の貯米庫２のホッパ７と下側の貯米庫３のホッパ８とは米搬送パイプ等によって接続されている。
【００１６】
そして、ブロワ１０によって上側の貯米庫２のホッパ７内の空気を吸引パイプ等を介して吸引することにより、下側の貯米庫３のホッパ８から米搬送パイプ等を介して上側の貯米庫２のホッパ７に米が空気搬送される。
上側の貯米庫２のホッパ７下方には、該ホッパ７内の米を計量して洗米タンク４内に落下供給する米計量器１１が設けられている。
【００１７】
この米計量器１１は、計量モータ２５によって横軸（前後軸）回りに回転駆動される計量ドラム１１ａを有し、この計量ドラム１１ａは回転させることにより、上側の貯米庫２のホッパ７から該計量ドラム１１ａに落下投入された米が下方に落下排出されるよう構成されている。
洗米タンク４と下側の貯米庫３の間には、図４に示すように、炊飯器の内釜等の受け容器を配置可能な配置空間Ｓが設けられ、下側の貯米庫３の上面が受け容器を載置する載置面Ｂとされている（したがって、本実施形態の場合は、下側の貯米庫３の貯米ケース６が受け容器を載置する載置台とされている）。
【００１８】
この受け容器を配置可能な配置空間Ｓと、受け容器を載置する載置面Ｂとで容器配置部Ｃが構成されている。
洗米タンク４の下方の受け容器の配置空間Ｓ(容器配置部Ｃ)の後部側には、受け容器の後方移動を規制する規制バー１２と、受け容器を検知する検知部材１３とが設けられている。
【００１９】
規制バー１２は支持フレーム９に取り付けられた左右一対の支持アーム１４によって支持されている。検知部材１３は支持フレーム９に取り付けられた支持部材１５に前後揺動自在に取付支持されている。
洗米タンク４は、前記支持フレーム９に支持されており、上側の貯米庫２の貯米ケース５の下壁５ａ（図７参照）に取付固定されたタンク取付部１６と、このタンク取付部１６の下端側に着脱自在に取り付けられたタンク本体１７と、このタンク本体１７の下端側に着脱自在に取り付けられた排水ジャケット１８とを有する。
【００２０】
タンク取付部１６は、図８、図９に示すように、円筒状の本体１６ａの上部に洗米タンク４内の上部を覆う隔壁１６ｂを設けてなり、この隔壁１６ｂによって洗米タンク４内と上側の貯米ケース５内とが仕切られている。
る。
タンク本体１７は上部が円筒状で下部が下方に行くに従って先窄まりとなる漏斗状に形成され、上下開口状とされている。排水ジャケット１８は円筒状の本体を有し、上下開口状に形成され、下端側に排米口２２を有する。
【００２１】
タンク本体１７の上端開口はタンク取付部１６に連通し、タンク本体１７の下端開口は排水ジャケット１８に連通している。
洗米タンク４内には攪拌部材１９と弁棒２０とが設けられている。
前記攪拌部材１９は、上側の貯米庫２の貯米ケース５内に設けられた攪拌モータ２１によって上下方向の軸心回りに回転駆動可能とされている。
【００２２】
前記弁棒２０は上下方向の軸心を有し洗米タンク４の中心部分に上下方向に配置されている。図３に示すように、該弁棒２０の下端側には排水ジャケット１８の下端側の排米口２２を開閉する排米弁２３が設けられている。
弁棒２０は上側の貯米庫２の貯米ケース５内に設けられた昇降モータ２４によって昇降可能とされている。排米弁２３はその上面が排米口２２の周縁に下側から接当することにより排米口２２を塞ぎ、該排米弁２３を下方移動させることにより排米口２２が開かれる。
【００２３】
図３に示すように、排水ジャケット１８の側方には排水ボックス２６が設けられ、この排水ボックス２６と排水ジャケット１８とは横向き配置された排水パイプ２７で接続されている。
なお、排水ボックス２６は排水ジャケット１８の真横に配置されていなくてもよく、排水ボックス２６が排水ジャケット１８に対して前側又は後側に位置ずれしていてもよい（排水ボックス２６が排水ジャケット１８の前斜め側方または後斜め側方に配置されていてもよい）。また、排水ボックス２６は排水ジャケット１８の後方側に配置されていてもよい。
【００２４】
排水ボックス２６内の排水は、排水孔２８から排水ホース等を介して排水溝等に排水可能とされている。
また、排水ボックス２６は縦配水管２９を介して洗米タンク４のタンク取付部１６に設けられたオーバーフロー部３０に接続されている。
排水ボックス２６内には、排水パイプ２７の出口側を開閉する排水弁３１を備えた排水弁装置３２が設けられている。この排水弁装置３２は、上側の貯米庫２の貯米ケース５内に設けられた排水モータ３３によって駆動可能とされている。
【００２５】
排水ジャケット１８内には、タンク本体１７の下端開口と排米口２２との間の空間を取り囲むように截頭円錐筒状に形成された分離板３４が設けられている。
この分離板３４は水は通すが米は通さない小孔が多数形成されており、排水ジャケット１８から排水ボックス２６へと米のとぎ汁（洗米水）が小さな不純物と共に流れるようになっている。
【００２６】
上側の貯米庫２の貯米ケース５内には、洗米タンク４内に水(水道水)を供給する給水装置３５が設けられている。
前記構成の自動洗米機１にあっては、排米弁２３を閉じた状態で洗米タンク４に米が供給され、この供給された米は、排水弁３１を開いた状態で洗米タンク４に給水しながら攪拌部材１９を回転駆動させることや、排水弁３１を閉じた状態で給水しながら攪拌部材１９を回転駆動させると共に洗米タンク４内の洗米水をオーバーフロー部３０からオーバーフローさせること等によって洗米される。
【００２７】
米を洗米した後は、排水弁３１を開けて水切りした後に該排水弁３１を閉じ、次に、水加減水を供給した後に排米弁２３を下方移動させて排米口２２を開くことにより、洗米タンク４下方に配置した受け容器へと、米及び水加減水が落下排出される。
上側の貯米庫２のホッパ７は、図４に示すように、該貯米庫２の貯米ケース５の下壁５ａ等に立設されたホッパ支持台３６上に取り付けられている。
【００２８】
米計量器１１は、図５、図６に示すように、ホッパ支持台３６の下方側で且つ洗米タンク４の隔壁１６ｂ上の右側に取付支持されている。
洗米タンク４のタンク取付部１６の上端には本体１６ａ上端から径方向外方に延出するフランジ壁１６ｃが設けられ、該フランジ壁１６ｃが上側の貯米ケース５の下壁５ａ上に重ね合わされて取り付けられている。
【００２９】
米計量器１１の計量ドラム１１ａ、攪拌部材１９、排米弁２３、排水弁３１等の被駆動部材を駆動する、計量モータ２５、攪拌モータ２１、昇降モータ２４、排水モータ３３は電動モータ（電動アクチュエータ）によって構成され、これら計量モータ２５、攪拌モータ２１、昇降モータ２４、排水モータ３３は制御装置ＣＵによって制御される。この制御装置ＣＵは、上側の貯米庫２のホッパ７の左側に配置されていてホッパ支持台３６に支持されている。
【００３０】
前記制御装置ＣＵの右側にはＤＣ電源ＰＳが隣接配置されている。
計量モータ２５は米計量器１１の背面側に設けられ、攪拌モータ２１は洗米タンク４の隔壁１６ｂ上の中心部の左側の後側に配置されて該隔壁１６ｂに取り付けられ、昇降モータ２４及び排水モータ３３は洗米タンク４の隔壁１６ｂの左側に配置されてタンク取付部１６のフランジ壁１６ｃに取り付けられている。
【００３１】
また、洗米タンク４の隔壁１６ｂ上には、攪拌モータ２１の駆動力を攪拌部材１９に伝達するギヤ伝動機構Ｇや、昇降モータ２４によって駆動されて弁棒２０を昇降する昇降機構Ｅが設けられている。
また、洗米タンク４の隔壁１６ｂには、その中心側に位置する軸受け部３７と、該軸受け部３７の右側に位置する米通過口３８とが設けられている。軸受け部３７には攪拌部材１９が回転自在に支持され、米通過口３８は米計量器１１から落下排出される米を洗米タンク４内へと通過させる。
【００３２】
前記給水装置３５は、図５〜図９に示すように、水道の蛇口等の給水源にホース等を介して接続される入水外部管路３９と、この入水外部管路３９から洗米タンク４側へと水を案内する流通経路である給水管路４０と、洗米タンク４内に水をシャワー状に散水するための散水部材４１と、この散水部材４１を取り付けるための取付台４２とを有する。
前記入水外部管路３９は、上側の貯米ケース５の下壁５ａ下面の右側後端側に取付固定されるフランジ４３ａを有する止水栓４３と、この止水栓４３の下端側に接続されていて開閉用の手動ハンドル４４ａを有する開閉弁４４とを有する。前記開閉弁４４の下端（上流側）に水道の蛇口等がホース等を介して接続される。
【００３３】
給水管路４０は、上側の貯米ケース５内の右側下部に配置され、前記入水外部管路３９の上端に接続される上流側管路４５と、この上流側管路４５に中途部が接続された分岐管路４６と、この分岐管路４６の端部から取付台４２へと延びる下流側管路４７とを有する。
上流側管路４５は、前記入水外部管路３９の上端から上方に延出された後、前方に向けて延出されており、給水管路４０を流れる水の流量（洗米タンク４に供給される水の供給量）を計る流量計４５Ａと、給水管路４０を遮断して洗米タンク４への給水を止める電磁弁からなる給水開閉弁４５Ｂとが設けられている。
【００３４】
該上流側管路４５は、具体的には、入水外部管路３９の上端に一端側が接続されたフレキシブルチューブ４５Ｃと、このフレキシブルチューブ４５Ｃの他端側に接続された継ぎ手４５Ｄと、この継ぎ手４５Ｄに接続された直管パイプ４５Ｅと、この直管パイプ４５Ｅに接続された継ぎ手４５Ｆと、この継ぎ手４５Ｆに接続された前記流量計４５Ａと、この流量計４５Ａに接続された前記給水開閉弁４５Ｂとから構成されている。
【００３５】
分岐管路４６は、流量計４５Ａ及び給水開閉弁４５Ｂ等の下方側に前後方向に配設されている。
この分岐管路４６は、具体的には、前後を向く接続口と上方を向く接続口とを有するティー継手４６Ａと、このティー継手４６Ａの前後の接続口に接続された前後の直管パイプ４６Ｂと、前後の直管パイプ４６Ｂにそれぞれ接続されたエルボ継手４６Ｃの一部とから構成されている。この分岐管路４６のティー継手４６Ａの上方を向く接続口に給水開閉弁４５Ｂが接続されている。
【００３６】
下流側管路４７は、分岐管路４６の前後両端部から左方（洗米タンク４の左右方向中央側）に延出されていると共に、左方に行くに従って下方に移行する傾斜状とされている。
該下流側管路４７は、具体的には、分岐管路４６の前後に設けられた前記エルボ継手４６Ｃの一部と、斜め上方を向くように横向き配置（本実施形態では右方に行くに従って上方に移行する傾斜状に配置）されて前記各エルボ継手４６Ｃにそれぞれ接続された直管パイプからなる給水管４７Ａとから構成されている。
【００３７】
取付台４２は、図７及び図１１等に示すように、洗米タンク４の隔壁１６ｂの左右方向中央部の前後にそれぞれ設けられている。
この取付台４２は、図１０〜図１３に示すように、平面視円形状の取付壁４２ａと、給水管路４０から洗米タンク４内へと水を導き入れる水導入部４２ｂと、上下方向の軸心を有していて取付壁４２ａの下面から下方に延出する筒壁４２ｃと、この筒壁４２ｃの中心側に設けられていて取付壁４２ａの下面から下方に延出するネジ挿通筒４２ｄとを樹脂で一体形成してなる。
【００３８】
洗米タンク４の隔壁１６ｂの上面側の軸受け部３７の前後に上下方向に貫通形成された開口１６ｄが設けられている（図５参照）と共に、各開口１６ｄの周囲に取付台４２を取り付けるための取付座１６ｅが形成されている。
取付台４２の取付壁４２ａは、その外周側の下面が取付座１６ｅにパッキンを介して上方から重ね合わされていると共に、該取付壁４２ａ及びパッキンを上方から貫通して取付座１６ｅに形成されたネジ孔にねじ込まれる取付ネジ４８によって取付固定されている。
【００３９】
水導入部４２ｂは、取付壁４２ａの上面側に設けられ、横向き（本実施形態では右向き）で且つ斜め上方に向けて形成された筒状の管路接続部４２ｅと、この管路接続部４２ｅに一端開口が連通し他端開口が筒壁４２ｃの内周側において取付壁４２ａの下方に向けて開口するエルボ部４２ｆとから構成されている。
管路接続部４２ｅには、給水管路４０の下流側管路４７の一部（最下流側部材）を構成する給水管４７Ａが接続されている。本実施形態では、給水管４７Ａは管路接続部４２ｅに嵌入されることによって接続されている。また、管路嵌合部の内部奥部には、給水管４７Ａの端部が接当する規制壁４２ｇが設けられている。エルボ部４２ｆの他端開口側及び管路接続部４２ｅの底部は取付壁４２ａと一体形成されている。
【００４０】
筒壁４２ｃは、取付壁４２ａと同心状で且つ取付壁４２ａよりも小径に形成されており、前記開口１６ｄを挿通している。この筒壁４２ｃの下端側には下方から凹設状に形成された切欠係合部４２ｈが径方向一対形成されている。また、筒壁４２ｃの下端側の内周側には、シール嵌合部４２ｉが段付き状に形成されている。このシール嵌合部４２ｉにはリング状のシール部材４９が嵌合されている。
【００４１】
ネジ挿通筒４２ｄの内孔４２ｊは、取付壁４２ａに形成された貫通孔４２ｋと連通しており、この貫通孔４２ｋとネジ挿通筒４２ｄの内孔４２ｊとでネジ挿通孔４２ｍが形成されている。
なお、ネジ挿通筒４２ｄの下端側は上部側よりも小径に形成されている。
散水部材４１は、図１０〜図１３に示すように、多数の散水孔４１ａを有する板材を下方に凸となる半球状で且つ上端開口状に形成された本体部４１ｂを有する。この本体部４１ｂの上端には、該本体部４１ｂの上端開口の径方向外方に延出されていて前記シール部材４９の下面に下方から接当するフランジ４１ｃを有する。このフランジ４１ｃには前記切欠係合部４２ｈに嵌合する係止片４１ｄが一対設けられている。この係止片４１ｄが切欠係合部４２ｈに嵌合することにより散水部材４１の上下軸回りの回り止めが図られている。
【００４２】
この散水部材４１の下端には、取付台４２のネジ挿通筒４２ｄの真下に位置するネジ孔４１ｅが形成されている。
本実施形態では、前記ネジ挿通孔４２ｍに上方から取付ネジ５０を挿通すると共に該取付ネジ５０を散水部材４１のネジ孔４１ｅにねじ込むことにより、散水部材４１が取付台４２に上方から取り付けられている。
【００４３】
取付台４２及び散水部材４１を洗米タンク４の隔壁１６ｂの上方から取り付け得るように構成することにより、取付ネジ４８，５０が洗米タンク４内に脱落することはない。
前記構成の給水装置３５にあっては、取付台４２の上面側に横向きで且つ斜め上方に向けて形成された管路接続部４２ｅを設け、この管路接続部４２ｅに、斜め上方を向くように横向き配置されていて給水管路４０の一部を構成する給水管４７Ａを接続するようにしたので、給水管路４０を全体的に低く設置することができる。
【００４４】
本実施形態では、給水管路４０を制御装置ＣＵ及びＤＣ電源ＰＳより下方に配置している。
また、給水管路４０の上流側管路４５が計量モータ２５、攪拌モータ２１と略同じような高さ位置に配置され、分岐管路４６が昇降モータ２４、排水モータ３３と略同じような高さ位置に配置している。
【００４５】
また、給水管路４０の上流側管路４５（給水開閉弁４５Ｂの上流側）から水漏れが生じた場合であっても、制御装置ＣＵ、ＤＣ電源ＰＳ、計量モータ２５、攪拌モータ２１、昇降モータ２４、排水モータ３３等の電気機器に水がかかりにくいように、該上流側管路４５を洗米タンク４の隔壁１６ｂの上方から外れた位置に配置している。
図１４〜図１９は他の実施形態の自動洗米機１を示している。
【００４６】
この自動洗米機１は、上下の貯米庫は設けられておらず、パック米を洗米タンク４に供給して洗米するタイプの自動洗米機１である。
この自動洗米機１にあっては、左右一対の支柱１７１と、左右各支柱１７１の下端から前方に延出された左右一対の支持脚１７２と、左右支持脚１７２を連結する連結部材１７３とから支持フレーム９が構成されている。
【００４７】
左右の支柱１７１の上端にケース１７３が取付固定され、ケース１７３の下側に洗米タンク４が取付固定され、洗米タンク４の下方に受け容器を載置する載置台１７４が設けられている。
また、この自動洗米機１の洗米タンク４は本体とタンク取付部とが一体形成されており、洗米タンク４は上端開口状とされている。
【００４８】
なお、前記図１〜図１５に示す自動洗米機１と同様の機能を有する構成は同じ符号を付して説明を省略する。
洗米タンク４は、その上端開口の前部がケース１７３の下壁１７３ａから前方にはみ出すように、該洗米タンク４上端側の後部がケース１７３の下壁１７３ａに取付固定されている。
【００４９】
したがって、この実施形態の場合は、ケース１７３の下壁１７３ａが洗米タンク４内とケース１７３内とを仕切る隔壁とされており、このケース１７３の下壁１７３ａに取付台４２が取付固定されている。また、管路接続部４２ｅは後向きで且つ斜め上方に向けて形成されている。
取付台４２及び散水部材４１の構造は前記実施形態と同様である。
【００５０】
洗米タンク４の上端開口のケース１７３の下壁１７３ａから前方にはみ出した部分が米を投入する米投入口１７５とされ、この米投入口１７５は蓋体１７６によって開閉自在に閉塞されている。
蓋体１７６の後部には左右方向の支軸部１７７が設けられ、該支軸部１７７がケース１７３の下壁１７３ａに取付固定した支持ブラケット１７８に左右軸回りに回動自在に支持されていて、蓋体１７６を支軸部１７７回りに上下に回動させることにより、米投入口１７５が開閉されるよう構成されている。
【００５１】
この実施形態においては、ケース１７３内に、制御装置ＣＵ、ＤＣ電源ＰＳ、攪拌モータ２１、昇降モータ２４、排水モータ３３が設けられている。
ケース１７３内の前部の左右方向中央側に攪拌モータ２１が配置され、この攪拌モータ２１の後方にＤＣ電源ＰＳが配置され、このＤＣ電源ＰＳの後側に制御装置ＣＵが隣接配置されている。また、ケース１７３内の左側前部に昇降モータ２４が配置され、ケース１７３内の左側後部に排水モータ３３が配置されている。
【００５２】
給水管路４０の上流側管路４５及び分岐管路４６は、ＤＣ電源ＰＳ及び制御装置ＣＵと攪拌モータ２１との間に配置され、給水管路４０の上流側管路４５及び分岐管路４６と、ＤＣ電源ＰＳ及び制御装置ＣＵとの間には、上流側管路４５及び分岐管路４６の上方覆う上壁１７９ａと、上流側管路４５及び分岐管路４６の後方を覆う縦壁１７９ｂとを有するカバー板１７９が設けられている。
【００５３】
入水外部管路３９は、ケース１７３の下壁１７３ａの右側の前後方向中央部よりやや後方側に設けられ、上流側管路４５は、入水外部管路３９の上端から上方に延出された後、左方に向けて延出されている。
分岐管路４６は左右方向に配置され、下流側管路４７は、分岐管路４６の左右両側から前方に延出するように配置されている。
【００５４】
取付台４２及び散水部材４１は、ケース１７３の下壁１７３ａの前部の左右両側に配置されている。
上流側管路４５及び分岐管路４６は制御装置ＣＵの下部と略同じ高さ位置に設けられている。上流側管路４５は、攪拌モータ２１より下方に配置されていると共に昇降モータ２４と略同じ高さ位置に設けられている。
【００５５】
排水モータ３３は上流側管路４５と分岐管路４６との中間の高さ位置に設けられている。分岐管路４６は攪拌モータ２１及び昇降モータ２４より下方に配置されている。
この図１４〜図１９に示す実施形態の自動洗米機１にあっては、ケース１７３内の前部右側に蓋体１７６が開いていることを検出する蓋開検出センサ１８０が設けられている。
この蓋開検出センサ１８０は、接触センサから構成され、センサ本体１８１の前部に接触子１８２が設けられていると共に接触子１８２に押圧されるプランジャ１８３が前方に向けて突出している。前記プランジャ１８３はバネによって前方に付勢されている。
【００５６】
この蓋開検出センサ１８０の接触子１８２は、上端側がセンサ本体１８１の前面に設けたブラケット部１８４に枢支されていて上下に揺動する揺動アーム１８５と、この揺動アーム１８５の下部に左右軸回りに回動自在に設けられたローラ１８６とから構成されている。揺動アーム１８５の下面側にはプランジャ１８３を押圧する押圧突起１８７が形成されている。
【００５７】
前記蓋体１７６の支軸部１７７の左右方向内端側には、米投入口１７５を塞ぐ閉鎖位置から蓋体１７６を上方（開き方向）に揺動させることにより蓋開検出センサ１８０のローラ１８６を下方に押圧して接触子１８２を下方揺動させるカム１８８が設けられている。接触子１８２がカム１８８によって押圧されて下方揺動すると、押圧突起１８７がプランジャ１８３を前方から押圧し、蓋体１７６が開き方向に揺動操作されたことが検出される。
【００５８】
また、カム１８８のローラ１８６との接触面１８９は蓋体１７６の回動中心（支軸部１７７の軸心）を中心とする円弧状に形成され、この接触面１８９の前部には、ローラ１８６が嵌合可能な嵌合凹部１９０が形成されている。
前記嵌合凹部１９０は、蓋体１７６を米投入口１７５の上方から退避する位置に上方揺動させるとローラ１８６に嵌合する。嵌合凹部１９０がローラ１８６に嵌合すると、蓋体１７６の下方揺動が規制され、蓋体１７６を開いた位置に保持される。
【００５９】
その他の構成は前記実施形態と同様に構成される。
本発明は、前述した自動洗米機１の他、米の計量、洗米、炊飯をマイコン制御によって自動で行う自動炊飯機の洗米装置に採用される。
【符号の説明】
【００６０】
４    洗米タンク
５    ケース（貯米ケース）
１６ｂ  隔壁
４０    給水管路
４１    散水部材
４１ａ  ネジ孔
４２    取付台
４２ｅ  管路接続部
４７Ａ  給水管
５０    取付ネジ
１７３    ケース
１７３ａ  隔壁
ＣＵ    制御装置
【図１】
0005792584.tif 000002
【図２】
0005792584.tif 000003
【図３】
0005792584.tif 000004
【図４】
0005792584.tif 000005
【図５】
0005792584.tif 000006
【図６】
0005792584.tif 000007
【図７】
0005792584.tif 000008
【図８】
0005792584.tif 000009
【図９】
0005792584.tif 000010
【図１０】
0005792584.tif 000011
【図１１】
0005792584.tif 000012
【図１２】
0005792584.tif 000013
【図１３】
0005792584.tif 000014
【図１４】
0005792584.tif 000015
【図１５】
0005792584.tif 000016
【図１６】
0005792584.tif 000017
【図１７】
0005792584.tif 000018
【図１８】
0005792584.tif 000019
【図１９】
0005792584.tif 000020